(57)【特許請求の範囲】
【請求項１】
全体としてリング状をなし、円筒状に形成されたタイヤ構成部材の周りに貼着される円環状のビードコアを掛合支持する筒状突起部分および、該筒状突起部分の外周側に連続するフランジ部分を具えるタイヤ成型機用ビードセットリングであって、
円周方向の角度範囲で、任意の位置から測って９０°を越えた領域内だけに、ビードコアを磁気吸着する保持用永久磁石を複数配設してなるタイヤ成型機用ビードセットリング。
【請求項２】
保持用永久磁石を、前記フランジ部分に配設してなる請求項１に記載のタイヤ成型機用ビードセットリング。
【請求項３】
前記ビードセットリングの正面視で、上端位置を中心とした９０°の角度範囲を越えた左右の側部域および下方域に保持用永久磁石を配設してなる請求項１もしくは２に記載のタイヤ成型機用ビードセットリング。
【発明の詳細な説明】
【技術分野】
【０００１】
この発明は、タイヤ成型機用ビードセットリングに関するものであり、たとえば、成形ドラム上で円筒状に形成されたカーカスバンド等のタイヤ構成部材の周りに円環状の金属製ビードコアを貼付けセットするに当り、筒状突起部分に掛合させて支持したビードコアの不測の落下、位置ずれ等のおそれを十分に取り除くとともに、該ビードコアを、多くの作業工数を要することなしに、筒状突起部分上に、所期した通りに、高い精度で位置決め支持することができる技術を提案するものである。
【背景技術】
【０００２】
円環状のビードコアを掛合支持し、そのビードコアを、成形ドラム上で円筒状に形成されたカーカスバンド等のタイヤ構成部材の周りに貼付けセットする従来技術としては、特許文献１に従来技術として開示されたものがある。
【０００３】
この従来技術は、円周方向で複数に分割形成してなるそれぞれの鈎部材の各々を半径方向に拡縮変位可能としてなるものであり、これは、それぞれの鈎部材の各個の鈎部を円環状ビードコアの内周面に掛合させてビードコアを位置決め支持した状態で、該ビードコアを、円筒状のタイヤ構成部材の所要位置まで搬送して、そのタイヤ構成部材上にセットするものである。
【０００４】
しかるにこの場合のビードコアの位置決め支持は、それぞれの鈎部材の鈎部表面に、ビードコアがその内周面で摩擦掛合されることだけで行われるので、鈎部表面に摩擦掛合されたそのビードコアが、他のタイヤ構成部材と干渉等することに起因して、それぞれの鈎部材に対して位置ずれしたり、甚だしくは、鈎部材から落下したりする等のおそれがあった。
【０００５】
そこで、それぞれの鈎部材を円周方向に連続する所定寸法のリング状に形成するとともに、このリング状部材の内周端に、円環状の一定寸法のビードコアを掛合させるための筒状突起部を設け、そして、該リング状部材に、金属製ビードコアの吸着保持用の永久磁石を、全周にわたって所定のピッチで配設し、各個の保持用永久磁石によるビードコアの磁気吸着によってビードコアの保持力を十分に高めることが提案されている。
【先行技術文献】
【特許文献】
【０００６】
【特許文献１】特開２００２−２１０８３９号公報
【発明の概要】
【発明が解決しようとする課題】
【０００７】
しかるに、リング状部材の全周にわたって、保持用永久磁石を所定のピッチで配設した場合は、該リング状の部材の筒状突起部に、作業者の手作業によってビードコアを掛合支持させるに際し、たとえば、筒状突起部に最初に掛合されるビードコアの上端部分が、図４（ａ）に半径方向の断面図で例示するように、リング状部材２０の筒状突起部２０ａの外表面より、半径方向の幾分外側で、保持用の永久磁石２１に、意図しない姿勢で強固に磁気吸着された場合は、ビードコアＢＣの下半部では、該ビードコアＢＣの横断面内で、内周側に位置することになる一以上の断面隅部が、図４（ｂ）に例示するように、筒状突起部２０ａの外表面より半径方向の内側に偏って位置されることがあり、ビードコアＢＣをこのような姿勢で、予め円筒状に形成されたタイヤ構成部材の周りにセットするときはビードコアＢＣの偏心に起因する芯ずれが生じることになる一方で、保持用の永久磁石２１に一旦強く吸着されたビードコアＢＣの偏心を取り除くためには、ビードコアＢＣの位置修正のための作業工数が別途必要になるという問題があった。
【０００８】
この発明は、前記従来技術および提案技術が抱えるこのような問題点を解決することを課題とするものであり、それの目的とするところは、リング状部材の筒状突起部に作業者の手作業によって掛合させた一定寸法のビードコアの不測の位置ずれ、脱落等のおそれを、保持用の永久磁石による、ビードコアの強固な磁気吸着によって十分に取り除き、併せて、ビードコアの、筒状突起部への偏心掛合を十分に防止して、ビードコアの、事後的な位置修正作業を不要にできるタイヤ成型機用ビードセットリングを提供するにある。
【課題を解決するための手段】
【０００９】
この発明の、タイヤ成型機用ビードセットリングは、全体としてリング状をなし、円筒状に形成されたタイヤ構成部材の周りに貼着される円環状の金属製ビードコアを掛合支持する筒状突起部分および、該筒状突起部分の外周側に連続するフランジ部分を具えるものであって、円周方向の角度範囲で、任意の位置から測って９０°を越えた領域内だけに、一定寸法（内径）のビードコアを強固に磁気吸着する、保持用の永久磁石を複数配設してなるものである。
【００１０】
ここで、前記９０°の角度範囲は、筒状突起部分に掛合させて支持されるビードコアの、上下方向、左右方向または斜め上下方向等のいずれかとすることができる。
なお、上記９０°の角度範囲内には、磁力の小さい一もしくは複数の仮止め用の永久磁石を配設することは可能である。
ところで、この仮止め用の永久磁石の磁力は、たとえば、保持用の永久磁石の磁力の
１／５〜２／５の範囲とすることができ、これによれば、金属製のビードコアの、意図しない個所が仮止め用の永久磁石に磁気吸着されることがあっても、ビードコアの位置修正を、特別の作業工数を必要とすることなく容易に行うことができる。
【００１１】
このようなビードセットリングにおいて、保持用の永久磁石は、前記フランジ部に配設することが好ましく、また、保持用の永久磁石は、ビードセットリングの正面視で、上端位置を中心とした９０°の角度範囲を越えた左右の側部域および、斜め方向を含む上方および下方域に配設することが好ましい。
【発明の効果】
【００１２】
この発明のタイヤ成型機用ビードセットリングでは、円環状の金属製ビードコアを掛合支持する筒状突起部分に加え、ビードコアを強固に磁気吸着する保持用の永久磁石を複数配設して、筒状突起部分上に所期した通りに正確に掛合支持したビードコアを、保持用永久磁石への磁気吸着によって強固に保持することができるので、当該ビードコアを、予め円筒状に形成されたタイヤ構成部材の周りに貼着セットするに当っての、ビードコアの偏心、意図しない位置ずれ、落下等を十分に防止することができる。
【００１３】
またここでは、任意の位置から測って、円周方向の９０°の角度範囲を越えた領域内だけに保持用の永久磁石を配設することとしているので、ビードコアの、筒状突起部分に対する最初の位置決め掛合を、保持用の永久磁石を配設していない、前記９０°の角度範囲内にて行い、ビードコアの初期掛合姿勢を十分適正なものとした後に、そのビードコアを保持用永久磁石に磁気吸着させることにより、ビードコアの、初期の適正掛合姿勢を簡易・迅速に実現することができ、これがため、ビードコアの事後的な位置修正のための作業工数を不要とすることができる。
【００１４】
ここで、任意の位置から測って、円周方向の９０°の角度範囲内には、保持用の永久磁石を配設しないのは、ビードコアの配置初期に、そのビードコアの適正なる掛合支持を簡易なものとするためであり、該角度範囲が９０°未満では、ビードコアの上端部分が、図４に例示するように、筒状突起部２０ａから離れて、フランジ部分に吸着されてしまい、これにより、ビードコアの下端部分がフランジ部分と接することなく偏心保持されるおそれが高くなる。
【００１５】
そしてまた、ビードセットリングの正面視で、上端位置を中心とした９０°の角度範囲を越えた左右の側部域および、斜め方向を含む上方および下方域に保持用の永久磁石を配設したときは、ビードコアの、最も一般的な初期の配設および、その後の位置の修正を特に容易にして作業性を大きく高めることができる。
【図面の簡単な説明】
【００１６】
【図１】この発明の実施の形態を示す斜視図である。
【図２】この発明のビードセットリングによる、ビードコアの上端部分の掛合支持状態を示す拡大横断面図である。
【図３】この発明のビードセットリングによる、ビードコアの下端部分の掛合支持状態を示す拡大横断面図である。
【図４】従来技術によるビードコアの掛合支持状態を例示する拡大横断面図である。
【発明を実施するための形態】
【００１７】
以下にこの発明の実施形態を図面に示すところに基いて説明する。
図１に示すところにおいて、１は、全体としてリング状をなす、タイヤ成型機用ビードセットリングを示し、このビードセットリング１は、図ではリングの内周端に位置して、円環状の、一定寸法のビードコアを外周面に掛合させて支持する、図では円筒状の突起部分２と、この円筒状突起部分２の外周側に連続する、外輪郭形状が円形のフランジ部分３を具える。
【００１８】
ここでこのビードセットリング１は、円周方向の角度範囲で、任意の位置から測って９０°を越えた領域内、とくに好ましくは、ビードセットリング１の正面視で、上端位置を中心として測った９０°の角度範囲を越えた左右の側部域および、斜め方向を含む上方および下方域に複数個の保持用の永久磁石４を、たとえば、一部もしくは全部の露出状態、または埋設状態で配設してなる。
【００１９】
ここにおいて、これらの永久磁石４は、円筒状突起部分２に配設し得ることはもちろんであるが、円筒状の突起部分２の外周側に連続するフランジ部分３に配設することが、ビードセットリング１に対し、反対側へビードコアが外れるのを防ぐための磁石１個あたりの抗力を最大化する上で好適である。
【００２０】
ところで、上述したところにおいて、任意の位置から測った角度範囲で９０°以内となる、保持用永久磁石４を配設しない範囲は、円筒状突起部分２に掛合させて支持される、図示しない金属製ビードコアの、上下方向、左右方向または斜め上下方向等のいずれかの範囲とすることができる。
なおこの場合、磁力の強い保持用永久磁石４を配設しない、上記９０°の角度範囲内には、ビードコアの仮止め用の、磁力の小さい、図示しない永久磁石を一個もしくは複数個配設することは可能である。
そしてこの仮止め用の永久磁石の磁力は、たとえば、保持用永久磁石４の磁力の
１／５〜２／５程度とすることが、仮止め用永久磁石に磁気吸着された金属製ビードコアの事後的な位置修正を容易にする上で好ましい。
【００２１】
以上のように構成してなるタイヤ成型機用ビードセットリング１では、とくに、円周方向の角度範囲で、任意の位置から測って９０°を越えた領域内だけに保持用永久磁石４を配設しているので、該ビードセットリング１の円筒状突起部分２の外周面への、一定の内径寸法の、ゴム被覆等を有するを可とする金属製ビードコアの内周面の初期の嵌め合わせを、上記の９０°の角度範囲内、より好ましくは、ビードセットリング１の上端位置を中心とした９０°の角度範囲内にて行うことで、ビードコアの、円筒状突起部分２に対するビードコア姿勢を、たとえ、仮止め用の永久磁石が存在してなお、強力な保持用永久磁石４の影響なしに、簡易・迅速に、かつ正確に修正等して、その嵌合姿勢を、たとえば、図２に示すような所期した通りのものに、高精度に合致させることができる。
【００２２】
従って、その後は、金属製ビードコア５を、前記９０°の角度範囲を越えた領域で、保持用永久磁石４に強固に磁気吸着させることで、ビードコア５の下端部分等をもまた、図３に示すように、円筒状突起部分２上に、半径方向内側への食み出しなしに正確に嵌め合わせ配置することができ、しかも、円筒状突起部分２上に掛合支持したビードコア５の不測の位置ずれ、落下等のおそれを、保持用永久磁石４による強固な磁気吸着によって十分に取り除くことができる。
【実施例】
【００２３】
サイズが１７．５インチのビードコアを、ビードセットリングの円筒状突出部分上に、作業者の手作業によって所期した通りに正確に掛合支持させるに要する作業時間および、フランジ部分の周方向の、保持用永久磁石によるビードコア吸着力を、保持用の強力な永久磁石を配設しない角度間隔をパラメータとして測定した結果を表１に示す。
なお、パラメータとしての角度間隔は、ビードセットリングの上端位置を中心として、両側部に均等に振り分けたトータル角度間隔とした。また、保持用永久磁石１個あたりの磁力は４００ｍＴとし、該永久磁石を、ビードセットリングのフランジ部分に８  °の角度間隔で配設した。
【００２４】
【表１】
0005788726.tif 000002
※１：ここで、「ビードコア総吸着力」は、ビードセットリングから外れる方向へバネばかりでビードコアを引張り、ビードコアがリングフランジ部から離れるまでの抗力で示す。なお、落下等のおそれを除去するに十分な総吸着力は３０Ｎである。
【００２５】
表１に示すところによれば、パラメータとしての角度間隔が９０°を越える実施例では、突状突起部分にビードコアを正確に掛合支持させるに要する作業時間を有効に短縮させることができる一方で、該角度間隔を１２０°としてなお、ビードコアの意図しない位置ずれ、落下等のおそれを除去するに十分な総吸着力を確保し得ることが解かる。
【符号の説明】
【００２６】
１  ビードセットリング
２  突起部分
３  フランジ部分
４  保持用永久磁石
５  金属製ビードコア
【図１】
0005788726.tif 000003
【図２】
0005788726.tif 000004
【図３】
0005788726.tif 000005
【図４】
0005788726.tif 000006